(57)【要約】  回転速度と加速ペダルの押下げに基づいて、自動車両のモーターのトルクを制御するためのシステム及び方法。自動車両を推進するのに役立つモーター（１５）のトルクを制御するためのシステムは、回転速度（１５）と加速ペダルの押下げを測定することができるセンサ（１４）と、回転速度とともに増加し、参照回転速度に対する参照トルクで始まる、トルク設定点を決定することができる、トルク設定点を決定するための手段（１２）とを含み、決定するための手段（１２）の出力は、電気モーター（１５）に接続される。【選択図】図２
2015528278.tif 000002
【特許請求の範囲】
【請求項１】
自動車両の推進に関与するモーター（１５）のトルクを制御するシステムであって、
前記モーター（１５）の回転速度及び加速ペダルの押下げを測定するように適合されるセンサ（１４）と、
前記回転速度とともに増加し、参照回転速度に対する参照トルクから開始するトルク設定値を決定するように適合される、トルク設定値の決定手段（１２）であって、出力が前記電気モーター（１５）に接続されている決定手段（１２）と
を含むことを特徴とするシステム。
【請求項２】
前記電気モーターの回転速度及び前記加速ペダルの押下げの関数であるトルク設定値のマップ（８）と、
前記測定される回転速度に対して、前記マップから得られる最大トルクが、減少しているときに、制御信号を出力するように適合される比較手段（９）と、
前記比較手段（９）から前記制御信号を受信すると、前記測定される回転速度を前記参照回転速度として記憶し、その時の設定値トルクを記憶するように適合される記憶手段（１０）と、
前記参照トルクを得るために、前記記憶されるトルクから既定のオフセット値を引くように適合される減算器（１１）と
を含む、請求項１に記載のシステム。
【請求項３】
前記決定手段（１２）は、前記決定されたトルク設定値を前記マップ（８）から得られる前記モータートルクの最大値と比較する手段（１３）に接続され、
前記比較手段（１３）の出力は、前記比較手段（１３）から信号を受信すると、前記回転速度を前記参照回転速度として記憶し、前記トルクを記憶するように適合される記憶手段（１１ａ）に接続され、
前記記憶手段（１１ａ）は、前記参照トルクを得るために、前記記憶されるトルクから既定のオフセット値を引くように適合される前記減算器（１１）と相互接続され、
前記減算器（１１）の出力は、前記決定手段（１２）に更に接続される、請求項２に記載のシステム。
【請求項４】
前記電気モーターの回転速度及び前記加速ペダルの押下げの関数であるトルク設定値のマップ（８）であって、出力が、前記加速ペダルの押下げの程度を前記加速ペダルの押下げの閾値と比較する比較手段（２５）に接続される、マップ（８）を含み、
前記比較手段（２５）の出力は、前記ペダルの押下げが検出される時に適用されるトルクの値を記憶するように適合される記憶手段（２６）に接続され、前記記憶手段（２６）はまた、前記ペダルの押下げが検出される時に前記モーターの回転速度に対応する前記参照回転速度を記憶するように適合され、
前記加速ペダルの押下げの程度を、前記加速ペダルの押下げの閾値と比較し、高い加速に対する要求の維持を検出するように適合される比較手段（２７）を含み、
前記加速ペダルの押下げの程度についての前記比較手段（２７）の出力は、高い加速に対する要求が維持されない場合に、トルク設定値をリセットするように適合される制御手段（２８）に接続され、高い加速に対する要求が維持される場合に、前記決定手段（１２）に接続される、請求項１に記載のシステム。
【請求項５】
前記決定手段（１２）は、前記トルク設定値を前記モータートルクの最大値と比較する比較手段（１３）に接続され、
前記比較手段（１３）の出力は、前記比較手段（１３）から信号を受信すると、前記回転速度を前記参照回転速度として記憶し、そして前記トルクを記憶するように適合される記憶手段（１１ａ）に接続され、
前記記憶手段（１１ａ）は、前記参照トルクを得るために、前記記憶されるトルクから既定のオフセット値を引くように適合される減算器（１１）と相互接続され、
前記減算器（１１）の出力は、前記比較手段（２５）に接続される、請求項４に記載のシステム。
【請求項６】
回転速度及び加速ペダルの押下げの関数として電気モーターのトルクを制御する方法であって、
前記加速ペダルの押下げの時にシステムの初期条件を記憶するステップと、
これらの初期条件の関数としてトルク設定値を初期化するステップと、
トルク設定値の履歴を考慮し、前記初期トルク設定値から連続的な展開によりトルク設定値を生成するステップと
を含むことを特徴とする方法。
【請求項７】
前記システムが実現できる最大トルクより小さい初期トルク設定値が決定される、請求項６に記載の方法。
【請求項８】
前記回転速度とともに増加するトルク設定値が決定される、請求項６又は７に記載の方法。
【請求項９】
前記トルク設定値が、前記システムが実現できる最大トルクに制限される、請求項６から８のいずれか一項に記載の方法。
【請求項１０】
前記トルク設定値が、回転速度にとっての最大トルクに達する場合、同じ回転速度を維持しながら前記システムが実現できる最大トルクより小さい新たなトルク設定値が、決定され、
前記トルク設定値の決定が、そのとき、前記新たなトルク設定値から再開する、請求項６から９のいずれか一項に記載の方法。
【請求項１１】
前記方法は、前記電気モーターの回転速度及び前記加速ペダルの押下げの関数であるトルク設定値のマップ（８）を用いて、前記電気モーターの回転速度及び前記加速ペダルの押下げの関数としてトルク設定値を決定することにより、初期化され、
その後、前記最大トルクが減少するとすぐに、前記トルク及び前記回転速度が記憶される、請求項６に記載の方法。
【請求項１２】
前記決定されたトルク設定値が、前記電気モーターの回転速度及び前記加速ペダルの押下げの関数であるトルク設定値のマップ（８）から得られるモータートルクの最大値より大きいかどうかが、決定され、
そうである場合、前記回転速度が、参照回転速度として記憶され、前記トルク設定値と既定のオフセット値との間の差が、新たなトルク設定値が決定される前に、参照トルクとして記憶される、請求項６から１１のいずれか一項に記載の方法。
【請求項１３】
前記方法は、前記電気モーターの回転速度及び前記加速ペダルの押下げの関数であるトルク設定値のマップ（８）を用いて、前記電気モーターの回転速度及び前記加速ペダルの押下げの関数としてトルク設定値を決定することにより、初期化され、
前記加速ペダルの押下げの程度が、前記加速ペダルの押下げの閾値と比較され、
前記加速ペダルの押下げの程度が、前記加速ペダルの押下げの閾値より大きい場合、前記回転速度は、参照回転速度として記憶され、前記トルク設定値と既定のオフセット値との間の差が、参照トルクとして記憶され、
前記加速ペダルの押下げの程度が、前記加速ペダルの押下げの閾値と再び比較され、
前記加速ペダルの押下げの程度が、前記加速ペダルの押下げの閾値より小さい場合、トルク要求がリセットされ、
そうでない場合、前記方法は、前記参照回転速度及び前記トルク設定値の関数としてトルク設定値を決定することにより継続する、請求項６に記載の方法。
【請求項１４】
前記決定されたトルク設定値が、前記モータートルクの最大値より大きい場合、前記モータートルクの最大値に等しいトルク設定値が維持される、請求項６から１３のいずれか一項に記載の方法。
【発明の詳細な説明】
【技術分野】
【０００１】
本発明の技術分野は、全てのモーター技術を組合わせて、自動車両を推進するためにモータを制御することであり、より具体的には、電気モーターの回転速度の関数としてトルクを制御することである。
【背景技術】
【０００２】
電気モーターは、一般に、低い回転速度で高いトルクを持ち、その後に、回転速度が増加するにつれて、トルクは減少する。
【０００３】
逆に、内燃機関は、中間の回転速度で最大トルクを持つ。この中間の回転速度より高い又は低い回転速度への変化が起こるとすぐに、この最大トルクは減少する。
【０００４】
電気自動車の運転者が、５０％を超える加速ペダルの押下げに対応する高水準の加速を要求する場合、速度が増加するにつれ、運転者は息切れの感覚を経験する。電気モーターのトルク曲線及び単一比の変速装置のため、自動車の速度が上昇するにつれ、自動車の加速は、急激に低下する。これは、大部分の運転者の経験と逆の感覚を引き起こし、電気自動車の採用にとって不利であることがわかっている。
【０００５】
それと比べて、内燃機関自動車は、所与のギヤで回転速度が上昇するにつれ、それほど急激には低下せず、又は増加さえする加速を有する。
【０００６】
問題は、内燃機関の曲線と比較しての、電気機械のトルク及び力の曲線の形状に関連している。これが電気自動車の特性の一部を形作ると、現在考えられているので、この問題は、解決されて来なかった。
【０００７】
従来技術において一般に得られる曲線とは異なる、回転速度の関数としてのトルク曲線を、走行用モーターのために得ることを可能にする、電気自動車を制御するシステム及び方法に対する要求が存在する。
【発明の概要】
【０００８】
本発明は、自動車両の推進に関与するモーターのトルクを制御するシステムに関し、
電気モーターの回転速度及び加速ペダルの押下げを測定するよう適合されるセンサ、及び、
回転速度とともに増加し、参照回転速度に対する参照トルクから始まる、トルク設定値を決定するよう適合される、トルク設定値を決定する手段を含み、決定手段の出力は、電気モーターに接続されている。
【０００９】
システムは、電気モーターの回転速度及び加速ペダルの押下げの関数であるトルク設定値のマップと、測定される回転速度について、マップから得られる最大トルクが減少している場合、制御信号を出力するように適合される比較手段と、比較手段から制御信号を受信すると、測定される回転速度を参照回転速度として記憶し、そのときの設定値トルクを記憶するように適合される記憶手段と、参照トルクを得るために、記憶されたトルクから既定のオフセット値を引くように適合される減算器とを含みうる。
【００１０】
決定手段は、決定されたトルク設定値を、マップから得られるモータートルクの最大値と比較するための手段と接続されることができ、比較手段の出力は、比較手段から信号を受信すると、参照回転速度として回転速度を記憶し、トルクを記憶するように、適合される記憶手段に接続されており、記憶手段は、参照トルクを得るために、記憶されたトルクから既定のオフセット値を引くように、適合される減算器と相互接続されており、
減算器の出力は、決定手段と更に接続されている。
【００１１】
システムは、電気モーターの回転速度及び加速ペダルの押下げの関数としてトルク設定値のマップを含むことができ、マップの出力は、加速ペダルの押下げの程度を、加速ペダルの押下げの閾値と比較するための手段と接続され、比較手段の出力は、ペダルの押下げが検出される時に、加えられるトルクの値を記憶するように適合される記憶手段と接続され、記憶手段はまた、ペダルの押下げが検出される時に、モーターの回転速度に対応する参照回転速度を記憶するように適合され、加速ペダルの押下げの程度を、加速ペダルの押下げの閾値と比較するための手段は、高加速に対する要求の維持を検出するように適合され、加速ペダルの押下げの程度のための比較手段の出力は、高加速に対する要求が維持されない場合に、トルク設定値をリセットするように適合される制御手段に接続され、高加速に対する要求が維持される場合に、決定手段に接続される。
【００１２】
決定手段は、トルク設定値をモータートルクの最大値と比較する手段と接続されることができ、比較手段の出力は、比較手段から信号を受信すると、参照回転速度として回転速度を記憶し、及びトルクを記憶するように、適合される記憶手段と接続され、記憶手段は、参照トルクを得るために、記憶されたトルクから既定のオフセット値を引くように適合される減算器と相互接続され、減算器の出力は、比較手段と接続される。
【００１３】
本発明はまた、回転速度及び加速ペダルの押下げの関数として電気モーターのトルクを制御する方法に関し、以下のステップを含む：
加速ペダルの押下げの時にシステムの初期条件を記憶すること、
これらの初期条件に応じてトルク設定値を初期化すること、及び
トルク設定値の履歴を考慮し、初期トルク設定値から連続的な展開によりトルク設定値を生成すること。
【００１４】
システムが実現できる最大トルクより小さい初期トルク設定値が、決定されてもよい。
【００１５】
回転速度とともに増加するトルク設定値が、決定されてもよい。
【００１６】
トルク設定値は、システムが実現できる最大トルクに制限されてもよい。
【００１７】
トルク設定値が、回転速度にとっての最大トルクに達する場合、同じ回転速度を維持しながらシステムが実現できる最大トルクより小さい、新たなトルク設定値が、決定されることができ、そして、
トルク設定値の決定が、そこで、新たなトルク設定値から再開する。
【００１８】
方法は、電気モーターの回転速度及び加速ペダルの押下げの関数としてのトルク設定値のマップを用いて、電気モーターの回転速度及び加速ペダルの押下げの関数としてトルク設定値を決定することにより初期化されることができ、その後、最大トルクが減少するとすぐに、トルク及び回転速度が、記憶されうる。
【００１９】
決定されたトルク設定値が、電気モーターの回転速度及び加速ペダルの押下げの関数としてのトルク設定値のマップから得られるモータートルクの最大値より大きいかどうかが、決定されうる。もしそうならば、回転速度が、参照回転速度として記憶され、そして、トルク設定値と既定のオフセット値との間の差が、新たなトルク設定値が決定される前の参照トルクとして記憶される。
【００２０】
方法は、電気モーターの回転速度及び加速ペダルの押下げの関数としてのトルク設定値のマップを用いて、電気モーターの回転速度及び加速ペダルの押下げの関数としてトルク設定値を決定することにより初期化されることができ、加速ペダルの押下げの程度が、加速ペダルの押下げの閾値と比較され、もし加速ペダルの押下げの程度が、加速ペダルの押下げの閾値より大きい場合、回転速度は参照回転速度として記憶され、トルク設定値と既定のオフセット値との間の差が、参照トルクとして記憶される。加速ペダルの押下げの程度が、加速ペダルの押下げの閾値と再び比較され、もし加速ペダルの押下げの程度が、加速ペダルの押下げの閾値より小さい場合、トルク要求はリセットされ、そうでない場合、方法は、参照回転速度及びトルク設定値の関数としてトルク設定値を決定することにより継続する。
【００２１】
決定されたトルク設定値が、モータートルクの最大値より大きい場合、モータートルクの最大値に等しいトルク設定値が、維持されうる。
【００２２】
非限定的な例としてのみ示された後述の記載を読み、添付図面を参照することで、本発明の他の目的、特徴及び有利性が明らかとなるであろう。
【図面の簡単な説明】
【００２３】
【図１】一つの実施形態による、電気モーターを制御する方法の主要なステップを示す。
【図２】一つの実施形態による、電気モーターを制御するシステムの主要な要素を示す。
【図３】他の実施形態による、電気モーターを制御する方法の主要なステップを示す。
【図４】他の実施形態による、電気モーターを制御するシステムの主要な要素を示す。
【発明を実施するための形態】
【００２４】
制御システム及び方法は、電気モーターの性能を低下させて、時間をかけて又は回転速度の上昇とともに、この性能を増加させるための余地を残すことにより、より高い回転速度のためのトルクの予備能力の提供を可能にする。
【００２５】
制御システム及び方法を、加速感覚の経験がユーザの経験の中で重要な場所を占める任意のモーター車両へ、一般化することができる。それらは、トルク設定値の生成の高い層で働くので、それらは、ギアボックスの比の数及び技術に関わらず、ギアボックスと関連する全てのモーター技術（例えば、内燃機関、電気、ハイブリッド）に適用されうる。
【００２６】
第一の実施形態において、制御システム及び方法は、満載荷重の下で、内燃機関車両の加速と類似する車両の加速が達成されることを可能にする。従って、目的は、モーターの固有のトルク曲線の関数として推進ユニットにより生成されるトルク曲線を制御することである。
【００２７】
得られた最大トルク曲線は、調整により、線形に減少する曲線から、各々が回転速度の限定された範囲で増加する一組の線分へと変化するように、修正される。これは、したがって、内燃機関とギアボックスを伴う推進ユニットの振る舞いをエミュレートする。
【００２８】
しかし、電気モーターの範囲の枠内に留まるために、電気モーターの最大能力に達すると、トルクを減少させることが必要である。それ故、増加している加速の線分の各々の後に、トルクの急速な減少が続く。しかし、電気モーターの回転速度は、上昇し続ける。トルクのこの急速な減少は、内燃機関を伴う推進ユニットにおけるギヤチェンジと類似していると考えられうる。
【００２９】
この解決法は、今日の電気車両のモーター制御において容易に実施されるが、幾つかの使用条件の下で、不都合がある。
【００３０】
例えば、もし、二つの線分の間でトルクの急速な減少が、加速ペダルの押下げと同時又は直後に起こるならば、運転者の体験は、否定的な体験となる。何故なら、加速ペダルの押下げにより表された、より大きな加速に対する彼らの要求は、車両の加速の減少に反映されるからである。
【００３１】
電気モーターを制御する方法は、トルク設定値が、名目マップ（８）を用いて、電気モーターの回転速度及び加速ペダルの押下げとの関数として最大トルクＣｍａｘ（Ｎ）に等しく決定される、ステップ１から開始される。
【００３２】
第二のステップ２の間に、名目マップから得られる最大トルクＣｍａｘ（Ｎ）が減少しているかどうかが、決定される。
【００３３】
所与のペダル押下げで、最大トルクＣｍａｘ（Ｎ）が減少するとすぐに、トルクが値Ｃｄｅｃに記憶され、回転速度が値Ｎｄｅｃに記憶される。これが、方法のステップ３で起こる。
【００３４】
あるいは、値Ｃｄｅｃ及び値Ｎｄｅｃがマッピングされる。
【００３５】
第四のステップ４の間に、既定のオフセット値Ｃｄｉｍが、トルクＣｄｅｃから引かれる。あるいは、オフセット値Ｃｄｉｍが、加速ペダルの押下げと回転速度Ｎに依存しているマップから得られうる。
【００３６】
値Ｃｄｅｃ−Ｃｄｉｍが、参照トルクＣ０に記憶され、値Ｎｄｅｃが、参照回転速度Ｎ０に記憶される。従って、座標（Ｃ０，Ｎ０）を持つ点が得られる。
【００３７】
第五のステップ５の間に、回転速度Ｎとともに増加し、参照回転速度Ｎ０に対する参照トルクＣ０から始まる、トルク（Ｎ）で表されるトルク設定値が、決定される。トルク設定値は、初期モーター速度と現在のモーター速度との関数であるマップから、出力でＣ０が加えられて、得ることができるか、又は、計算によって、例えば、以下の式を適用することにより、得ることができる：
Ｔｏｒｑｕｅ（Ｎ）＝Ｃ０＋ＳｌｏｐｅＣｍｏｔ・（Ｎ−Ｎ０）      （式１）
ここで、
Ｎ：モーターの回転速度、
Ｎ０：参照回転速度、
Ｃ０：参照トルク、及び
ＳｌｏｐｅＣｍｏｔ：設定値トルクＴｏｒｑｕｅ（Ｎ）の増加係数。
Ｎｍ．ｍｉｎ／ｒｅｖにおけるこの値は、一定であってもよいし、又は車両速度とペダル押下げの水準の関数であるマップから得てもよい。
【００３８】
方法は、ステップ６に続き、トルク設定値Ｔｏｒｑｕｅ（Ｎ）が、モータートルクの最大値Ｃｍａｘ（Ｎ）より大きいかどうかを決定する。値Ｃｍａｘ（Ｎ）は、加速ペダルの１００％押下げに対して名目マップに対応する回転速度Ｎの関数としての最大トルクの曲線を表す。
【００３９】
トルク設定値Ｔｏｒｑｕｅ（Ｎ）が、モータートルクの最大値Ｃｍａｘ（Ｎ）より大きい場合、その瞬間の回転速度が、変数Ｎｄｅｃに記憶され、トルク設定値Ｃｍａｘ（Ｎｄｅｃ）が、変数Ｃｄｅｃに記憶される。方法は、ステップ４に続く。
【００４０】
更に第一の実施形態によれば、電気モーター１５は、図２に示される制御システムにより制御される。
【００４１】
電気モーター１５の制御システム７は、マップなどの、電気モーターの回転速度及び加速ペダルの押下げの関数としてトルク設定値を決定する手段８を含む。センサ１４が、マップ８に、及び測定を必要とする制御システム７の他の要素に、接続される。センサ１４は、電気モーターのトルク、電気モーターの回転速度及び加速ペダルの押下げの程度などの車両の動きの特徴的な量を決定するように適合される。
【００４２】
マップ８の出力は、名目マップから得られる最大トルクが減少しているかどうかを決定するように適合される比較手段９に接続される。
【００４３】
比較手段９の出力は、最大トルクが減少しているとすぐに、トルクを値Ｃｄｅｃに記憶し、回転速度を値Ｎｄｅｃに記憶するように適合される記憶手段１０に接続される。
【００４４】
あるいは、比較手段９は、値Ｃｄｅｃと値Ｎｄｅｃのマップにより置換えられうる。
【００４５】
記憶手段１０の出力は、トルクＣｄｅｃから既定のオフセット値Ｃｄｉｍを引くように適合される減算器１１に接続される。あるいは、記憶手段１０は、加速ペダルの押下げと回転速度Ｎの関数としてオフセット値Ｃｄｉｍのマップ１０ａを含んでよい。
【００４６】
減算器１１の出力は、減算器から得られる値を参照トルクＣ０に記憶し、値Ｎｄｅｃを参照回転速度Ｎ０に記憶するように適合される記憶手段１１ａに接続される。
【００４７】
記憶手段１１ａの出力は、回転速度Ｎとともに増加し、参照回転速度Ｎ０に対する参照トルクＣ０から始まる、Ｔｏｒｑｕｅ（Ｎ）で示されるトルク設定値を決定するように適合される、トルク設定値を決定する手段１２に接続される。決定手段１２は、式１を適用する。
【００４８】
決定手段１２の出力は、電気モーター１５に、及びトルク設定値Ｔｏｒｑｕｅ（Ｎ）が、モータートルクの最大値Ｃｍａｘ（Ｎ）より大きいかどうかを決定するように適合される比較手段１３に、接続される。値Ｃｍａｘ（Ｎ）は、加速ペダルの１００％押下げに対する名目マップに対応する回転速度Ｎの関数である最大トルクの曲線を表す。
【００４９】
比較手段１３の出力は、記憶手段１１ａに接続され、トルク設定値Ｔｏｒｑｕｅ（Ｎ）が、モータートルクの最大値Ｃｍａｘ（Ｎ）より大きい場合、その瞬間の回転速度が、変数Ｎｄｅｃに記憶され、トルク設定値Ｃｍａｘ（Ｎｄｅｃ）が、変数Ｃｄｅｃに記憶される。
【００５０】
第二の実施形態において、制御システム及び方法は、運転者が加速ペダルを強く押下げる時間を考慮するように適合される。運転者の体験を維持すると同時に、車両の加速を最適化するために、最も良く合うトルク設定値を、所与の時間に作成することが、その場合、可能である。
【００５１】
制御システム及び方法は、ペダルが押下げられるときに、モーターの回転速度に関わらず、最小時間の間、加速の感覚を維持することを可能にする。
【００５２】
開発の間も、そして車両に搭載されて使用される時にもコストを意味するマップの数を増やさないように、制御方法は、図３に示されるステップを適用する。
【００５３】
第一のステップ１６の間に、加速ペダルの押下げ及びモーターの回転速度の関数としてトルク設定値が、決定される。このステップは、制御方法の第一の実施形態のステップ１に類似している。加速ペダルの１００％押下げに対するモーターの回転速度の関数である設定値の曲線が、推進ユニットの最大トルク曲線に対応するということが、留意されるであろう。
【００５４】
この第一のステップは、全ての推進ユニット技術を一緒にして、自動車両に日常的に適用される現在の技術に対応する。
【００５５】
方法はステップ１７に続き、高い加速に対する要求に対応する、加速ペダルの押下げの状態が検出される場合に、現在の技術による動作が回避されることを可能にする。そのために、加速ペダルの押下げの程度が、加速ペダルの押下げの閾値Ｓｐｅｄａｌと比較される。第二の閾値が、ヒステリシスを導入するために、定義されてもよい。
【００５６】
比較の結果が正である場合、方法はステップ１８に続く。そうでない場合、ステップ１６に戻る。
【００５７】
ステップ１８において、ペダルの押下げが検出される時に適用されるトルク値に対応する初期設定トルク値Ｃｉｎｉｔが定義される。ペダルの押下げが検出される時に測定されるモーターの回転速度に対応する回転速度Ｎｉｎｉｔもまた、定義される。値Ｃｉｎｉｔは、車両速度とペダル押下げの水準の関数であるマップから得られうる。
【００５８】
方法はステップ１９に続き、高い加速に対する要求の持続に対応する加速ペダルの押下げの状態が検出される。このために、加速ペダルの押下げの程度が、加速ペダルの押下げの閾値Ｓｐｅｄａｌと比較される。
【００５９】
第二の閾値が、ヒステリシスを導入するために、定義されてもよい。
【００６０】
比較の結果が正である場合、方法はステップ２０に続く。そうでない場合、ステップ２１に戻り、トルク要求はリセットされ、方法はそれからステップ１６に続く。
【００６１】
ステップ２０は、制御方法の第一の実施形態のステップ５に類似している。ステップ２０で、モーターの回転速度とともに増加する設定トルク値Ｔｏｒｑｕｅ（Ｎ）が、上記で定義される式１を適用することにより、又は、マップ及び／又は計算に基づく任意の他の決定システムから得られる値を用いることにより、定義される。
【００６２】
方法はステップ２２に続き、トルク設定値Ｔｏｒｑｕｅ（Ｎ）が、モータートルクの最大値Ｃｍａｘ（Ｎ）より大きいかどうかが決定される。このステップは、制御方法の第一の実施形態のステップ６に類似している。値Ｃｍａｘ（Ｎ）は、回転速度Ｎの関数であり、加速ペダルの１００％押下げに対する名目マップに対応する、最大トルクの曲線を表す。トルク設定値Ｔｏｒｑｕｅ（Ｎ）がモータートルクの最大値Ｃｍａｘ（Ｎ）より大きい場合、方法はステップ２３に続く。そうでない場合、ステップ１９に戻る。
【００６３】
ステップ２３において、オフセット値Ｃｄｉｍが、トルク設定値Ｔｏｒｑｕｅ（Ｎ）から引かれる。オフセット値Ｃｄｉｍは、車両速度及びペダル押下げの水準の関数であるマップから得ることができる。このステップは、制御方法の第一の実施形態のステップ４に類似している。
【００６４】
ステップ２３に続いて、方法はステップ１９に続く。
【００６５】
他の実施形態によれば、ステップ２２の代わりにステップ２２ａに置き換えることができ、そこでは、モータートルクの最大値Ｃｍａｘ（Ｎ）に等しいトルク設定値Ｔｏｒｑｕｅ（Ｎ）が、維持される。
【００６６】
従って、トルクを減少させずに、動作は最大トルク曲線上に留まる。車両は、そのとき、名目上の動作を示す。
【００６７】
図４は、第二の実施形態による制御システムを示す。第一の実施形態による制御システムの要素と同じ参照番号を持つ要素は、本質的に、同じ機能を提供する。
【００６８】
制御システム２４は、加速ペダルの押下げ及びモーターの回転速度の関数であるトルク設定値のマップ８を含む。
【００６９】
センサ１４が、マップ８に、及び、測定を必要とする制御システム７の他の要素に、接続される。センサ１４は、電気モーターのトルク、電気モーターの回転速度及び加速ペダルの押下げの程度などの、車両の動作の特徴的な量を決定するように適合される。
【００７０】
マップ８の出力が、加速ペダルの押下げの程度を加速ペダルの押下げの閾値Ｓｐｅｄａｌと比較する手段２５に、接続される。従って、高い加速に対する要求に対応する加速ペダルの押下げの状態が、検出される。第二の閾値が、ヒステリシスを導入するために、定義されてもよい。
【００７１】
比較手段２５の出力が、ペダルの押下げが検出される時に適用されるトルク値に対応する初期設定トルク値Ｃｉｎｉｔを記憶するように適合される記憶手段２６に接続される。記憶手段２６はまた、ペダルの押下げが検出される時にモーターの回転速度に対応する回転速度Ｎｉｎｉｔを記憶するように適合される。あるいは、値Ｃｉｎｉｔは、車両速度及びペダル押下げの水準の関数であるマップから得ることができる。
【００７２】
記憶手段２６の出力が、加速ペダルの押下げの程度を加速ペダルの押下げの閾値Ｓｐｅｄａｌと比較する手段２７に、接続される。従って、高い加速に対する持続した要求に対応する加速ペダルの踏込みの状態が、検出される。第二の閾値が、ヒステリシスを導入するために、定義されてもよい。
【００７３】
比較手段２７の出力が、トルク設定値をリセットするように適合される制御手段２８に接続され、それ自体の出力が、トルク設定値マップ８に接続される。
【００７４】
比較手段２７の出力はまた、上記で定義された式１を適用するように適合される、トルク値を決定する手段１２に接続される。決定手段１２の出力は、電気モーター１５に、及び、トルク設定値Ｔｏｒｑｕｅ（Ｎ）をモータートルクの最大値Ｃｍａｘ（Ｎ）と比較する手段１３に、接続される。
【００７５】
比較手段１３の出力は、トルク設定値Ｔｏｒｑｕｅ（Ｎ）からトルク減少値Ｃｄｉｍを引くように適合される減算器１１に接続される。オフセット値Ｃｄｉｍは、車両速度及びペダル押下げの水準の関数であるマップから得ることができる。減算器１１の出力は、比較手段２５に接続される。
【００７６】
制御方法とシステムは、運転者が内燃機関に類似した動作を知覚するように、電気モーターの振る舞いの変更を可能にする。従って、電気モーターの環境の品質を、内燃機関の運転の品質と結び付けることが可能である。
【図１】
2015528278.tif 000003
【図２】
2015528278.tif 000004
【図３】
2015528278.tif 000005
【図４】
2015528278.tif 000006
【国際調査報告】
2015528278.tif 000007
2015528278.tif 000008
2015528278.tif 000009
2015528278.tif 000010
2015528278.tif 000011
2015528278.tif 000012